(57)【要約】      （修正有）【課題】テスト工程を簡易化できて、かつ費用が安く、測定し易い手持ち試験機を提供する。【解決手段】試験セット１０および測定ホスト３０を含み、試験セットは、吸収材、送信アンテナおよびＲＦＩＤタグ１３を設置し、吸収材が試験セットの内部周囲に設けられ、送信アンテナおよびＲＦＩＤタグが、試験セットの対向側に設けられ、かつ測定ホストが試験セットに電気的に接続され、よって、ＲＦＩＤタグの最適な貼付位置を探し出し易くする。【選択図】図２
0003134611.tif 000002
【実用新案登録請求の範囲】
【請求項１】
試験セットおよび測定ホストを含み、
前記試験セットは、吸収材、送信アンテナおよびＲＦＩＤタグを設置し、
前記吸収材が該試験セットの内部周囲に設けられるとともに、前記送信アンテナおよび前記ＲＦＩＤタグが、試験セットの対向側に設けられ、
かつ前記測定ホストが試験セットに電気的に接続され、よって、ＲＦＩＤタグの最適な貼付位置を探し出し易くなることを特徴とする手持ち試験機。
【請求項２】
前記試験セットの長さが５ｃｍ〜７０ｃｍであることを特徴とする請求項１に記載の手持ち試験機。
【請求項３】
前記ＲＦＩＤタグの周波数範囲が、４００ＭＨＺ〜２．５ＧＨＺの間であることを特徴とする請求項１に記載の手持ち試験機。
【請求項４】
吸収材、送信アンテナおよびＲＦＩＤタグを含み、前記吸収材が該試験セットの内部周囲に設けられ、前記送信アンテナおよび前記ＲＦＩＤタグが、試験セットの対向側に設けられた手持ち試験機の試験セット。
【請求項５】
前記試験セットの長さが５ｃｍ〜７０ｃｍであることを特徴とする請求項４に記載の手持ち試験機の試験セット。
【請求項６】
前記ＲＦＩＤタグの周波数範囲が、４００ＭＨＺ〜２．５ＧＨＺの間であることを特徴とする請求項４に記載の手持ち試験機の試験セット。
【考案の詳細な説明】
【技術分野】
【０００１】
本考案は、手持ち試験機に係り、ＲＦＩＤタグおよび送信アンテナを試験セットの対向側に設置し、ケースの最適なＲＦＩＤタグ貼付位置を検知できるようにし、だんボールケースやパッケージケース、プレゼントケース等、または類似の物に適合できる手持ち試験機に関するものである。
【背景技術】
【０００２】
ＲＦＩＤ（Ｒａｄｉｏ  Ｆｒｅｑｕｅｎｃｙ  Ｉｄｅｎｔｉｆｉｃａｔｉｏｎ）の技術は成熟してその応用範囲も益々広くなりつつある。
また、世界最大の小売業者Ｗａｌ−ｍａｒｔは、供給業者にパッケージケースや段ボールにＲＦＩＤタグの貼り付けを要求している。世界中におけるＲＦＩＤパッケージケースのニーズに対して大きな成長が見込まれている。
さらに、ＲＦＩＤタグの貼付作業が、物流配送センターからパッケージケース製造メーカに徐々に移転していく傾向にある現在、ＲＦＩＤタグのパッケージケース技術の発展には、一刻も遅れることができない。
【０００３】
ＲＦＩＤタグのパッケージケースは、ＲＦＩＤタグをパッケージケースに貼り付ければよいという訳ではなく、パッケージケースの体積の大きさが内容物と異なるため、ＲＦＩＤタグの貼付位置も異なり、試験により最適な貼付位置を探し出して読み取り効率を向上する必要がある。
この試験技術は、現在、ＲＦＩＤリーダやスペクトルアナライザ（Ｓｐｅｃｔｒｕｍ  Ａｎａｌｙｚｅｒ）および周波数関連の周辺部品などのソフトウェアやハードウェアで、ケース上の各箇所の位置を一々測定し、さらに、スペクトルアナライザで信号強度を分析し、最小反射パワーまたは最強応答信号を得ることによって、ＲＦＩＤタグの最適な貼付位置を探し出している。
【考案の開示】
【考案が解決しようとする課題】
【０００４】
しかしながら、ＲＦＩＤタグの最適な貼付位置を探し出すためのテスト方法は複雑で、かつ、これらのメータや設備の価額が高く、測定の際にも測定地点を自由自在に移動できない。
【０００５】
本考案は、前記した欠点に鑑みて成されたもので、テスト工程を簡易化できて、かつ費用が安く、測定し易い手持ち試験機を提供するために成されたものである。
【課題を解決するための手段】
【０００６】
本考案の主な目的は、ＲＦＩＤタグおよび送信アンテナを試験セットの対向側に設置し、パッケージケース上の各箇所の外面のセンシング信号の強度を検知できるようにし、ＲＦＩＤタグの最適な貼付位置を探し出すことに有益になり、便利性および実用性を向上させる手持ち試験機を提供することにある。
【０００７】
本考案の次の目的は、試験セット内に吸収材が設けられることにより、試験の際に周波数干渉が避けられ、読み取り効率を向上させ、パッケージ上の各箇所の外面のセンシング信号を確実に検知でき、実用性を向上させる手持ち試験機を提供することにある。
【０００８】
本考案の他の目的は、試験工程および構造を簡易化することにより、試験の際に測定地点を自由自在に移動しケースの各位置を一々測定でき、全体の便利性および実用性を向上させる手持ち試験機を提供することにある。
【０００９】
前記目的を達成するために、本考案は、試験セットおよび測定ホストを有し、該試験セットは、吸収材、送信アンテナおよびＲＦＩＤタグを設置し、該吸収材が該試験セットの内部周囲に設けられ、該送信アンテナおよび該ＲＦＩＤタグが、試験セットの対向側に設けられ、かつ該測定ホストが試験セットに電気的に接続され、よって、ＲＦＩＤタグの最適な貼付位置を探し出し易くなる手持ち試験機を提供することにある。
【考案の効果】
【００１０】
本考案の装置は以下の利点を有する。
（１）ＲＦＩＤタグおよび送信アンテナを試験セットの対向側に設置することにより、試験セットがパッケージケース上の各箇所の外面のセンシング信号の強度を検知できるから、ＲＦＩＤタグの最適な貼付位置を探し出すことにたいして有益であり、ＲＦＩＤパッケージケースの読取効率を向上させることができる。
（２）試験セットが市販の様々なＲＦＩＤリーダおよびＲＦＩＤタグに合せて、パッケージ上の各位置の応答信号強度を検知できて、所定周波数またはマルチ周波数に応用できて、並びに様々なパッケージケースや、例えば、金属や液体、ガラス、プラスチック等の異なる材質の内容物に合せることができる。
【考案を実施するための最良の形態】
【００１１】
以下に図面を参照しながら本考案に係る手持ち試験機の実施の形態について説明する。
図１〜図３を参照すると、本考案の手持ち試験機は、試験セット１０および測定ホスト３０を有する。
該試験セット１０は、吸収材１１、送信アンテナ１２およびＲＦＩＤタグ１３を設置する。該吸収材１１は該試験セット１０の内部周囲に設けられ、該送信アンテナ１２および該ＲＦＩＤタグ１３は、試験セット１０の対向側に設けられる。
送信アンテナ１２およびＲＦＩＤタグ１３の相対距離（試験セットの長さ）が約５ｃｍ〜７０ｃｍであるが、その距離は測定頻度に応じて定められる。
該ＲＦＩＤタグ１３はパッシブタグであって、該パッシブタグが、外部電磁誘導または電磁波誘導により電力を発生しデータを転送し、バッテリが要らず、体積が小さく、価格が低く、寿命が長い利点を達成できる。
また、該パッシブタグが、読むのみ、繰り返して読み書きおよび一回書き入れ可能なパッシブタグであり、その周波数使用範囲が約４００ＭＨＺ〜２．５ＧＨＺである。
該測定ホスト３０は、制御ユニット、切替ユニット、アンプおよび減衰器を有する。
該測定ホスト３０は試験セット１０に電気的に接続されていて、試験セット１０を制御できる。
該試験セット１０を起動する読み取りの仕組みとして、該試験セット１０が測定すべき物２０の数値を読み取った後に、測定ホスト３０に回送して処理される。
【００１２】
図３を参照すると、本考案の特徴は、試験セット１０の内部周囲に吸収材１１を設けることにより、試験の際に周波数の干渉を回避して読み取り効率を向上させるとともに、測定すべき物２０上の各箇所の外面のセンシング信号を確実に検知できることである。
さらに、ＲＦＩＤタグ１３および送信アンテナ１２を試験セット１０の対向側に設置し、試験セット１０を測定すべき物２０（本実施例では、段ボールケース）上に平坦的に貼り付ける。
試験セット１０上のＲＦＩＤタグ１３の位置を測定すべき物２０の表面に近接させ、さらに測定すべき物２０上の各箇所の外面のセンシング信号の強度を検知して、パッケージケースの体積の大きさおよび異なる内容物による読取率の問題を探し出すとともに、ＲＦＩＤタグの最適な貼付位置を探し出して読取率を向上させることで、ＲＦＩＤパッケージケースの効果を達成する。
また、ＲＦＩＤタグ１３が、市販の異なるメーカの同類製品に変更でき、異なる応用例の時の試験として使用する。
【００１３】
図１〜図３を参照すると、測定の際に測定すべき物２０を試験セット１０の前に位置させる。該測定ホスト１０が試験セット３０に電気的に接続され、該測定ホスト３０が試験セット１０を制御し、該試験セット１０を起動する読み取り仕組みとして、測定したデータを読み取る。或いは該測定ホスト３０がさらにその他の関連設備に接続していて測定データを読み取りできる。測定の際に試験セット１０を測定すべき物２０上にできるだけ平坦的に貼り付ける。試験セット１０上のＲＦＩＤタグ１３の位置を測定すべき物２０の表面にできるだけ近接させる。さらに試験セット１０を測定すべき物２０上に信号の強度を一々検知し、ＲＦＩＤタグ１３の最適な貼付位置を探し出す。
【００１４】
前記に記載した構成は、単に本考案の好ましい実施例の記載に過ぎなく、本考案の特徴を限定するものではなく、当業者が適宜行なう変更や置換は本考案に含まれることは勿論である。
【図面の簡単な説明】
【００１５】
【図１】本考案に係る実施例の斜視外観図である。
【図２】本考案に係る実施例の使用状態を示す図である。
【図３】本考案に係る実施例の使用状態を示す断面図である。
【符号の説明】
【００１６】
１０・・・試験セット
１１・・・吸収材
１２・・・送信アンテナ
１３・・・ＲＦＩＤタグ
２０・・・測定すべき物
３０・・・測定ホスト
【図１】
0003134611.tif 000003
【図２】
0003134611.tif 000004
【図３】
0003134611.tif 000005
【手続補正書】
【提出日】平成19年6月5日(2007.6.5)
【手続補正１】
【補正対象書類名】実用新案登録請求の範囲
【補正対象項目名】全文
【補正方法】変更
【補正の内容】
【実用新案登録請求の範囲】
【請求項１】
試験セットおよび測定装置を含み、
前記試験セットは、吸収材、送信アンテナおよびＲＦＩＤタグを具備し、
前記吸収材が該試験セットの内部周囲に設けられるとともに、前記送信アンテナおよび前記ＲＦＩＤタグが、試験セットの内部に相対向して設けられ、
かつ前記測定装置が試験セットに電気的に接続され、よって、ＲＦＩＤタグの最適な貼付位置を探し出し易くなることを特徴とする手持ち試験機。
【請求項２】
前記試験セットの長さが５ｃｍ〜７０ｃｍであることを特徴とする請求項１に記載の手持ち試験機。
【請求項３】
前記ＲＦＩＤタグの周波数範囲が、４００ＭＨＺ〜２．５ＧＨＺの間であることを特徴とする請求項１に記載の手持ち試験機。
【請求項４】
前記試験セットは、吸収材、送信アンテナおよびＲＦＩＤタグを含み、前記吸収材が該試験セットの内部周囲に設けられ、前記送信アンテナおよび前記ＲＦＩＤタグが、試験セットの内部に相対向して設けられた手持ち試験機の試験セット。
【請求項５】
前記試験セットの長さが５ｃｍ〜７０ｃｍであることを特徴とする請求項４に記載の手持ち試験機の試験セット。
【請求項６】
前記ＲＦＩＤタグの周波数範囲が、４００ＭＨＺ〜２．５ＧＨＺの間であることを特徴とする請求項４に記載の手持ち試験機の試験セット。
【手続補正２】
【補正対象書類名】明細書
【補正対象項目名】０００１
【補正方法】変更
【補正の内容】
【０００１】
本考案は、手持ち試験機に係り、ＲＦＩＤタグおよび送信アンテナを試験セットの内部に相対向して設置し、ケースの最適なＲＦＩＤタグ貼付位置を検知できるようにし、段ボールケースやパッケージケース、プレゼントケース等、または類似の物に適合できる手持ち試験機に関するものである。
【手続補正３】
【補正対象書類名】明細書
【補正対象項目名】０００６
【補正方法】変更
【補正の内容】
【０００６】
本考案の主な目的は、ＲＦＩＤタグおよび送信アンテナを試験セットの内部に相対向して設置し、パッケージケース上の各箇所の外面のセンシング信号の強度を検知できるようにし、ＲＦＩＤタグの最適な貼付位置を探し出すことに有益になり、便利性および実用性を向上させる手持ち試験機を提供することにある。
【手続補正４】
【補正対象書類名】明細書
【補正対象項目名】０００９
【補正方法】変更
【補正の内容】
【０００９】
前記目的を達成するために、本考案は、試験セットおよび測定装置を有し、該試験セットは、吸収材、送信アンテナおよびＲＦＩＤタグを設置し、該吸収材が該試験セットの内部周囲に設けられ、該送信アンテナおよび該ＲＦＩＤタグが、試験セットの内部に相対向して設けられ、かつ該測定装置が試験セットに電気的に接続され、よって、ＲＦＩＤタグの最適な貼付位置を探し出し易くなる手持ち試験機を提供することにある。
【手続補正５】
【補正対象書類名】明細書
【補正対象項目名】００１０
【補正方法】変更
【補正の内容】
【００１０】
本考案の装置は以下の利点を有する。
（１）ＲＦＩＤタグおよび送信アンテナを試験セットの内部に相対向して設置することにより、試験セットがパッケージケース上の各箇所の外面のセンシング信号の強度を検知できるから、ＲＦＩＤタグの最適な貼付位置を探し出すことにたいして有益であり、ＲＦＩＤパッケージケースの読取効率を向上させることができる。
（２）試験セットが市販の様々なＲＦＩＤリーダおよびＲＦＩＤタグに合せて、パッケージ上の各位置の応答信号強度を検知できて、所定周波数またはマルチ周波数に応用できて、並びに様々なパッケージケースや、例えば、金属や液体、ガラス、プラスチック等の異なる材質の内容物に合せることができる。
【手続補正６】
【補正対象書類名】明細書
【補正対象項目名】００１１
【補正方法】変更
【補正の内容】
【００１１】
以下に図面を参照しながら本考案に係る手持ち試験機の実施の形態について説明する。
図１〜図３を参照すると、本考案の手持ち試験機は、試験セット１０および測定装置３０を有する。
該試験セット１０は、吸収材１１、送信アンテナ１２およびＲＦＩＤタグ１３を設置する。該吸収材１１は該試験セット１０の内部周囲に設けられ、該送信アンテナ１２および該ＲＦＩＤタグ１３は、試験セット１０の内部に相対向して設けられる。
送信アンテナ１２およびＲＦＩＤタグ１３の相対距離（試験セットの長さ）が約５ｃｍ〜７０ｃｍであるが、その距離は測定頻度に応じて定められる。
該ＲＦＩＤタグ１３はパッシブタグであって、該パッシブタグが、外部電磁誘導または電磁波誘導により電力を発生しデータを転送し、バッテリが要らず、体積が小さく、価格が低く、寿命が長い利点を達成できる。
また、該パッシブタグが、読むのみ、繰り返して読み書きおよび一回書き入れ可能なパッシブタグであり、その周波数使用範囲が約４００ＭＨＺ〜２．５ＧＨＺである。
該測定装置３０は、制御ユニット、切替ユニット、アンプおよび減衰器を有する。
該測定装置３０は試験セット１０に電気的に接続されていて、試験セット１０を制御できる。
該試験セット１０を起動する読み取りの仕組みとして、該試験セット１０が測定すべき物２０の数値を読み取った後に、測定装置３０に回送して処理される。
【手続補正７】
【補正対象書類名】明細書
【補正対象項目名】００１２
【補正方法】変更
【補正の内容】
【００１２】
図３を参照すると、本考案の特徴は、試験セット１０の内部周囲に吸収材１１を設けることにより、試験の際に周波数の干渉を回避して読み取り効率を向上させるとともに、測定すべき物２０上の各箇所の外面のセンシング信号を確実に検知できることである。
さらに、ＲＦＩＤタグ１３および送信アンテナ１２を試験セット１０の内部に相対向して設置し、試験セット１０を測定すべき物２０（本実施例では、段ボールケース）上に平坦的に貼り付ける。
試験セット１０上のＲＦＩＤタグ１３の位置を測定すべき物２０の表面に近接させ、さらに測定すべき物２０上の各箇所の外面のセンシング信号の強度を検知して、パッケージケースの体積の大きさおよび異なる内容物による読取率の問題を探し出すとともに、ＲＦＩＤタグの最適な貼付位置を探し出して読取率を向上させることで、ＲＦＩＤパッケージケースの効果を達成する。
また、ＲＦＩＤタグ１３が、市販の異なるメーカの同類製品に変更でき、異なる応用例の時の試験として使用する。
【手続補正８】
【補正対象書類名】明細書
【補正対象項目名】００１３
【補正方法】変更
【補正の内容】
【００１３】
図１〜図３を参照すると、測定の際に測定すべき物２０を試験セット１０の前に位置させる。該測定装置１０が試験セット３０に電気的に接続され、該測定装置３０が試験セット１０を制御し、該試験セット１０を起動する読み取り仕組みとして、測定したデータを読み取る。或いは該測定装置３０がさらにその他の関連設備に接続していて測定データを読み取りできる。
測定の際に試験セット１０を測定すべき物２０上にできるだけ平坦的に貼り付ける。試験セット１０上のＲＦＩＤタグ１３の位置を測定すべき物２０の表面にできるだけ近接させる。
さらに試験セット１０を測定すべき物２０上に信号の強度を一々検知し、ＲＦＩＤタグ１３の最適な貼付位置を探し出す。
【手続補正９】
【補正対象書類名】明細書
【補正対象項目名】００１６
【補正方法】変更
【補正の内容】
【００１６】
１０・・・試験セット
１１・・・吸収材
１２・・・送信アンテナ
１３・・・ＲＦＩＤタグ
２０・・・測定すべき物
３０・・・測定装置